(57)【要約】      （修正有）【課題】素材コンクリ―トブロックの形状を活かして、運搬時における化粧塗装層の損傷を防ぐことができて、しかもブロック塀構築現地にて容易に短時間で美観を備える化粧ブロック塀を構築することができる化粧コンクリートブロックを提供する。【解決手段】化粧コンクリートブロック５は、素材コンクリートブロック１の側方表面１Ｃが模様をなす凹凸形状に形成され、この模様をなす凹凸形状の側方表面１Ｃ上に塗装された下地調整塗材層２Ａ、密着塗材層２Ｂ、装飾塗材層２Ｃ及び被覆塗材層２Ｄが形成された、薄厚であって、上記模様をなす凹凸形状に沿って模様をなす凹凸形状に形成された化粧塗装層２を備え、この化粧塗装層２の上側に剥離可能に貼着された被覆材層を備えている。【選択図】図１
0003172235.tif 000002
【実用新案登録請求の範囲】
【請求項１】
素材コンクリートブロックの側方表面が模様をなす凹凸形状に形成され、該模様をなす凹凸形状の側方表面上に塗装された下地調整塗材層、密着塗材層、装飾塗材層及び被覆塗材層が形成された、薄厚であって、前記模様をなす凹凸形状に沿って模様をなす凹凸形状に形成された化粧塗装層を備え、該化粧塗装層の上側に剥離可能に貼着された被覆材層を備えることを特徴とする化粧コンクリートブロック。
【請求項２】
請求項１において、前記模様をなす凹凸形状が、側方表面の端から端に至る直線状若しくは屈曲状の溝部とその両側の表面によって形成されることを特徴とする化粧コンクリートブロック。
【請求項３】
請求項１において、前記模様をなす凹凸形状が、側方表面上に形成された凹凸状の模様形状によって形成されることを特徴とする化粧コンクリートブロック。
【考案の詳細な説明】
【技術分野】
【０００１】
本考案は化粧コンクリートブロックに関する。
【背景技術】
【０００２】
従来、化粧コンクリートブロックとしては、コンクリートブロック設置現地において、複数のコンクリートブロック素体（以下、素材コンクリートブロックと称する。）を並べて土台の上に載置して積層し、これら積層したコンクリートブロックの側方面に塗装を施して側方面上に塗装層を形成するとともに各コンクリートブロック間の間隙である積層線でもある目地を埋める仕上処理を施してコンクリートブロック塀を完成させるものが知られている。また、近年では、コンクリートブロックの塗装材として化粧塗材を用い、意匠性のある美観を有する化粧コンクリートブロックを製造する方法が知られている。
【０００３】
上記のようなコンクリートブロックの製造方法としては、例えば特許文献１には、建築用コンクリートブロックを上下左右に積み重ねて構築される新設ブロック塀等の着色方法であって、ブロック塀の表面に下地壁面を形成し、この下地壁面を単色の塗料により塗装して下塗り面を形成し、この上からマスキングを介して色彩混合塗装により塗装して上塗り面を形成するブロック塀等の着色方法が記載されている。
【先行技術文献】
【特許文献】
【０００４】
【特許文献１】特開平１０−２２５６６０号公報
【考案の概要】
【考案が解決しようとする課題】
【０００５】
しかしながら、上記特許文献１に記載の方法では、コンクリートブロックの塗装面即ち側方面の塗装がブロック塀を構築する現地にてコンクリートブロックが積層された後に行われるため、現地環境によってはコンクリートブロックの塗装面即ち側方面の塗装が困難にある場合があった。
【０００６】
この対策として、素材コンクリートブロック製造地において予め側方面に塗装処理をしてから現地に運搬し、現地での側方面の塗装作業を省略することが考えられるが、この場合は塗装されたコンクリートブロックが運搬中に衝撃等によって側方面の塗装に傷がつく等の問題があった。
【０００７】
本考案の目的は、素材コンクリ―トブロックの形状を活かして、運搬時における化粧塗装層の損傷を防ぐことができて、しかもブロック塀構築現地にて容易に短時間で美観を備える化粧ブロック塀を構築することができる化粧コンクリートブロックを提供することにある。
【課題を解決するための手段】
【０００８】
本考案の化粧コンクリートブロックは、素材コンクリートブロックの側方表面が模様をなす凹凸形状に形成され、該模様をなす凹凸形状の側方表面上に塗装された下地調整塗材層、密着塗材層、装飾塗材層及び被覆塗材層が形成された、薄厚であって、前記模様をなす凹凸形状に沿って模様をなす凹凸形状に形成された化粧塗装層を備え、該化粧塗装層の上側に剥離可能に貼着された被覆材層を備えることを特徴としている。
【０００９】
本考案の化粧コンクリートブロックは、また、前記模様をなす凹凸形状が、側方表面の端から端に至る直線状若しくは屈曲状の溝部とその両側の表面によって形成されることを特徴としている。
【００１０】
本考案の化粧コンクリートブロックは、また、前記模様をなす凹凸形状が、側方表面上に形成された凹凸状の模様形状によって形成されることを特徴としている。
【考案の効果】
【００１１】
本考案は、上述のように構成しているので、素材コンクリ―トブロックの形状を活かして、運搬時における化粧塗装層の損傷を防ぐことができて、しかもブロック塀構築現地にて容易に短時間で美観を備える化粧ブロック塀を構築することができる化粧コンクリートブロックを提供することができる。
【図面の簡単な説明】
【００１２】
【図１】本考案の実施例の化粧コンクリートブロックの概略図。
【図２Ａ】本考案の実施例の化粧コンクリートブロックに用いる一例の素材コンクリートブロックの概略図である。
【図２Ｂ】本考案の実施例の化粧コンクリートブロックに用いる別の例の素材コンクリートブロックの概略図である。
【図２Ｃ】本考案の実施例の化粧コンクリートブロックに用いる別の例の素材コンクリートブロックの概略図である。
【図２Ｄ】本考案の実施例の化粧コンクリートブロックに用いる別の例の素材コンクリートブロックの概略図である。
【図２Ｅ】本考案の実施例の化粧コンクリートブロックに用いる別の例の素材コンクリートブロックの概略図である。
【図２Ｆ】本考案の実施例の化粧コンクリートブロックに用いる別の例の素材コンクリートブロックの概略図である。
【図２Ｇ】本考案の実施例の化粧コンクリートブロックに用いる別の例の素材コンクリートブロックの概略図である。
【図２Ｈ】本考案の実施例の化粧コンクリートブロックに用いる別の例の素材コンクリートブロックの概略図である。
【図２Ｉ】本考案の実施例の化粧コンクリートブロックに用いる別の例の素材コンクリートブロックの概略図である。
【図３】図２Ａの化粧コンクリートブロックの側方表面に形成された化粧塗装層を示す側面断面図である。
【図４】図２Ａの化粧塗装層を平面から示す部分断面図である。
【図５】本考案の実施例の化粧コンクリートブロックによって、化粧ブロック塀を構築した状態の例を示す図である。
【考案を実施するための形態】
【００１３】
以下、本考案の実施例を図面に基づいて説明する。
【実施例】
【００１４】
図１は、本考案の実施例の化粧コンクリートブロックの概略図を示す。素材コンクリートブロック１としては、空洞部１Ｂ、側方表面１Ｃ及び両端の溝部１Ｄが形成された方塊状のコンクリート部１Ａからなり、工業製品として規格されているような建築、土木用のものが用いられる。
【００１５】
本考案の化粧コンクリートブロック５は、この素材コンクリートブロック１を基本として構成され、図１に示す如く、素材コンクリートブロック１の側方表面上１Ｃに、下地調整塗材２Ａ層、密着塗材層２Ｂ、装飾塗材層２Ｃ及び被覆塗材層２Ｄが塗装されて形成された化粧塗装層２及びこの化粧塗装層２の上側に剥離可能に貼着された被覆材層４から構成される。
【００１６】
この素材コンクリート素材ブロック１としては、その一例として図２Ａに示すように（図２Ａは外観図を示す）、側方表面１Ｃに、その端から端に亘って形成された直線状の溝部１１が形成されている素材コンクリートブロック１が用いられる。各溝部１１は、隣接する溝部間が等間隔となるように設けられている。
【００１７】
このように、等間隔になるように形成された溝部１１は、模様をなす凹凸形状を呈する。素材コンクリートブロック１は、このように側方表面１Ｃ上に予め模様をなす凹凸形状に形成される。
【００１８】
図２Ａにおいては、素材コンクリートブロック１の片面のみに模様をなす凹凸形状を形成しているが、両面に形成されても良い。この場合に、両面におけるそれぞれ緒の溝部の間隔は異なるようにしてもよい。また、図２Ａに示す側では、等間隔で形成された溝部１１としているが、異間隔であってもよいし、直線状ではなく、曲線を含む屈曲状であってもよい。
【００１９】
いずれにしても、模様をなす凹凸形状は、砂などの素材によって形成される凹凸よりは大きなものであって、視覚によって凹凸状であって、見た目に美しさを感じられるものとする。このことは、以下の例示する素材コンクリートブロックに共通するものである。このように、模様をなす形状が、側方表面１Ｃの端から端に至る直線状もしくは屈曲状の溝部１１とその両側の表面１２によって形成される。
【００２０】
また、素材コンクリートブロック１としては、図２Ｂに示すように、側方表面１Ｃに、直線状の溝部１１が形成されている素材コンクリートブロック１が用いられる。この素材コンクリートブロック１は、各溝部１１が３個を一組とされ、各組の溝部が等間隔となるように設けられて模様状とされている。
【００２１】
また、素材コンクリートブロック１としては、図２Ｃに示すように、側方表面１Ｃに、直線状の溝部１１が側方表面１Ｃのほぼ全体に形成されている素材コンクリートブロック１が用いられる。この素材コンクリートブロック１３は、各溝部１１が細かい間隔で等間隔に複数個設けられ、側方表面１Ｃの中央には幅大の溝部１１Ａが単体設けられて模様状とされている。
【００２２】
また、素材コンクリートブロック１としては、図２Ｄに示すように、側方表面１Ｃに、直線状の幅のある溝部１１が形成されている素材コンクリートブロック１が用いられる。この素材コンクリートブロック１は、側方表面１Ｃの中央には幅小の溝部１１Ｂが単体設けられて、この溝部１１Ｂを対称にして側方表面１Ｃに幅大の溝部１１がそれぞれ１箇所ずつ設けられて模様状とされている。
【００２３】
また、素材コンクリートブロック１としては、図２Ｅに示すように、側方表面１Ｃの全面に、岩壁や石壁を模した模様形状１５が形成されている素材コンクリートブロック１が用いられる。この模様形状１５は、凹凸形状をなし、模様を形成することになる。
【００２４】
また、素材コンクリートブロック１としては、図２Ｆに示すように、側方表面１Ｃの中央部に、図２Ｅに示すと同様に、岩壁又は石壁を模した模様形状１５が形成され、周辺部に扁平枠面１５Ｂが形成されている素材コンクリートブロック１が用いられる。この扁平枠面１５Ｂは、図２Ｆに示すように、側方表面１Ｃの外周部に設けられており、扁平面である。この模様形状１５及び扁平枠面１５Ｂは、凹凸形状をなし、模様を形成することとなる。
【００２５】
また、素材コンクリートブロック１としては、図２Ｇに示すように、側方表面１Ｃに、直線状の溝部１１及び隣接する溝部１１を直角方向に結ぶ直線状の溝部１７が形成されている素材コンクリートブロック１が用いられる。この素材コンクリートブロック１は、各溝部１１が等間隔となるように設けられており、図２Ａに図示したものと類似する。そして、溝部１１の両側近傍には、直角方向に溝部１７が形成されている。これらの溝部１１及び直角方向に形成された溝部１７が模様を形成することになる。
【００２６】
また、素材コンクリートブロック１としては、図２Ｈに示すように、側方表面１Ｃに、直線状の溝部１１及び穿孔１８が形成されている素材コンクリートブロック１が用いられる。この素材コンクリートブロック１は、側方表面１Ｃの中央に幅小の溝部１１が単体設けられて、側方表面１Ｃの外形線と溝部１１がなす各平面の各角部近傍にはそれぞれ打放しコンクリートに設けられているような穿孔１８が設けられている。この溝部１１と穿孔１８によって模様を形成することになる。
【００２７】
また、素材コンクリートブロック１としては、図２Ｉに示すように、側方表面１Ｃに、直線状の溝部１１及び穿孔１９が形成されている素材コンクリートブロック１が用いられる。この素材コンクリートブロック１には、側方表面１Ｃの中央には幅大の溝部１１が単体設けられて、側方表面１Ｃの外形線がなす各角部近傍にはそれぞれ打放しコンクリートに設けられているような穿孔１９が設けられている。この溝部１１と穿孔１９によって模様を形成することになる。
【００２８】
以上図２Ａないし図２Ｉで説明した素材コンクリートブロックは、各図に示す如く側方表面１Ｃ上に化粧塗装層２が形成される。この化粧塗装層２の上側に被覆材層４が形成される。この際、図１に示す如く、素材コンクリートブッロックの溝部１１あるいは模様形状１５あるいは穿孔１８、１９の形状に基づいて、化粧塗装層２及び被覆材層４の形が形成されることになる。例えば、図１に示す素材コンクリートブロックの場合は、溝部１１の形状に基づいて化粧塗装層２及び被覆材層４にも溝部形状１１Ｘがそれぞれ形成される。
【００２９】
このように形成された化粧コンクリートブロック５は、薄厚であって、上述の模様をなす凹凸形状に沿って、これらの形状を反映して模様をなす凹凸形状に、塗装によって形成された化粧塗装層２を備える。
【００３０】
更に、この化粧コンクリートブロック５は、化粧塗装層２の上側に剥離可能に貼着された被覆材層４を備える。この被覆材層４も薄厚に形成されるので、化粧塗装層２と同様に凹凸形状に沿ったものとなるが、透明材料で形成されることで化粧塗装層２が透視されることになるので、この場合、被覆材層４は、凹凸形状とされることは重要ではない。形成された時に、化粧塗装層２が模様形状となっていることが見た目に重要である。
【００３１】
図１並びに図２Ａないし図２Ｉにおいて、下地調整塗材層２Ａ、密着塗材層２Ｂ、装飾塗材層２Ｃ及び被覆塗材層２Ｄは、各層とも薄く、塗装によって形成されており、これらによって形成された化粧塗装層２は薄厚形状となる。この薄厚形状の化粧塗装層２は、形成された時に、素材コンクリートブロック１の側方表面１Ｃ上に予め形成された模様をなす凹凸形状に沿って形成され、溝部１１に対しては対応の溝部１１Ｘ、模様形状１５に対しては模様形状１５Ｘ、穿孔１８、１９に対しては穿孔形状１８Ｘ、１９Ｘをなす。他の形状に対しても同様である。
【００３２】
本考案の化粧コンクリートブロック５は、上述のような溝部や模様形状を有する素材コンクリートブロックを用いることによって、これら化粧ブロックを用いて現地でブロック塀を構築する際に、容易に美観を備えた化粧ブロック塀を構築することができる。
【００３３】
即ち、本考案の化粧コンクリートブロックは、前記模様をなす凹凸形状が、側方表面の端から端に至る直線状若しくは屈曲状の溝部とその両側の表面によって形成されることを特徴としている。また、本考案の化粧コンクリートブロックは、前記模様をなす凹凸形状が、側方表面上に形成された凹凸状の模様形状によって形成されることを特徴としている。
【００３４】
また、本考案の化粧コンクリートブロック５は、上述の素材コンクリートブロック１の側方全表面１Ｃに、下地調整塗材層２Ａ、密着塗材層２Ｂ、装飾塗材層２Ｃ及び被覆塗材層２Ｄが順次塗装されて化粧塗装が施されて化粧塗装層２が形成されている。
【００３５】
下地調整塗材としては、フィラーと呼ばれる特殊合成樹脂製等からなる塗材等が用いられ、素材コンクリートブロック１の表面状態に応じて種々のものがあり、素材コンクリートブロック１の材質に応じて下地即ち側方表面１Ｃの調整を施し、塗膜即ち化粧塗装層２への下地からの悪影響を防ぎ、美観性と耐久性を兼ね備えた化粧塗装層２を得るような下地にする目的で用いられる。
【００３６】
密着塗材としては、プライマーと呼ばれる接着性の塗材等が用いられ、コンクリート１の側方表面１Ｃと装飾塗材とを接着する目的で用いられる。また、この密着塗材は、コンクリート１の側方表面１Ｃの防錆機能を併せ持っている。
【００３７】
装飾塗材としては、意匠性のある表面形状を形成することができる有色の塗材であり、コンクリート１の側方表面１Ｃの美観性を生成する目的で用いられるものであり、後述する化粧コンクリートの美観性を生成する塗材となる。
【００３８】
また、上記の装飾塗材は、例えば、図２に示すように、ペースト状塗材２Ｃからなり、塗装された時に、表面に装飾が施されるものが用いられる。
【００３９】
図３は、化粧コンクリートブロックの側方表面に形成された化粧塗装層を示す側面断面図であり、図４は、この化粧塗装層を平面から示す部分断面図である。ここで、上述の化粧塗装層２の形成において、装飾塗材層２Ｃがペースト状塗材からなる塗材の場合の化粧コンクリートブロック６Ａの化粧塗装層２の断面は、図３の側面図、図４の平面図に示すように、化粧コンクリートブロック６Ａの側方表面１Ｃ上に順次下地調整塗材層２Ａ、密着塗材層２Ｂ、装飾塗材層２Ｃ及び被覆塗材層２Ｄによる層が順次形成されている。
【００４０】
尚、これら化粧塗装層２表面の面積は、コンクリートブロックの側方表面の面積とほぼ同一とし、他の化粧コンクリートブロックと並置若しくは積層してブロック塀を構築する際等に、各化粧塗装層２が干渉して他の化粧コンクリートブロックと並置若しくは積層の妨げにならないようにすることができる。
【００４１】
被覆塗材としては、トップコートと呼ばれるような仕上用塗材等が用いられ、コンクリート１の側方表面１Ｃの仕上処理をして、表面の保護や塗装表面の仕上処理をする目的で用いられる。
【００４２】
以上の塗材層２Ａ、２Ｂ、２Ｃ、２Ｄを形成する塗装は、図示しない吹付塗装具、塗装ローラー、塗装こて、塗装はけ及びエアレス塗装機等の塗装器具により行われる。尚、本考案においては、使用する塗材の種類は限られず、上述の塗材とは他の種類の塗材を用いることもできる。
【００４３】
本考案の化粧コンクリートブロックは、また、この化粧コンクリートブロックの側方表面１Ｃに、図示しない接着剤が貼着された被覆層３が被覆、付着されて被覆材層４が形成される。この被覆層３としては、塩化ビニル等の被覆材の表面に接着剤が貼着されたものが用いられる。
【００４４】
上述の被覆層３は、化粧コンクリートブロック５の側方表面１Ｃに接触されると、接着剤の接着能力により接着層３が化粧コンクリートブロック５の側方表面１Ｃすべてに被覆、付着されるものとなっている。尚、この被覆層３による接着によって化粧コンクリートブロックの化粧塗装層２の表面が傷付いたり変質したりすることはない。
【００４５】
本考案の化粧コンクリートブロック５は、また、被覆材層４の形成は、図示しない被覆層塗材を化粧コンクリートブロックの側方表面１Ｃへ塗装して形成するようにしてもよい。より具体的には、塗装により化粧塗装層が形成された化粧コンクリートブロックに、塗装器具によって化粧コンクリートブロックの側方全表面１Ｃに被覆層塗材が塗装され、乾燥されて、被覆材層４が形成される。
【００４６】
この被覆層塗材は、側方表面１Ｃに塗装されると、化粧塗装層２の表面から内部まで浸透していき乾燥され、剥離性が良好に保たれつつ側方表面１Ｃに密着される。従って、本実施例では、上述のように被覆材層４を形成するために接着剤が貼着された接着層を備えるような被覆層を用いることを要せず、被覆層塗材を側方表面１Ｃに塗装することで、容易に側方表面１Ｃに付着された被覆材層４を形成することができる。
【００４７】
以上のように、化粧コンクリートブロック５は、側方表面１Ｃ上に化粧塗装層２が形成され、更にこの化粧塗装層２を覆うように被覆材層４が形成されている。これにより、この化粧コンクリートブロック５は、運搬時に衝撃などが起きても被覆材層４により化粧塗装層２が保護されるので、化粧塗装層２が傷付くことを防止することができる。
【００４８】
次に、図５を用いて上述の本考案の化粧コンクリートブロック５を用いて現地で化粧ブロック塀を構築する手順の例について説明する。
【００４９】
まず、運搬された化粧コンクリートブロック６Ａから被覆材層４を剥離し、この被覆材層４が剥離された化粧コンクリート５を垂直方向に積層して仮化粧ブロック塀５０を形成する。次に、この仮化粧ブロック塀５０の化粧コンクリートブロック５の積層線５１、５２に沿って、かつ近接して隣接する化粧コンクリートブロック５に図示しない汚れ防止テープを貼着し、積層線５１、５２に沿って上記の隣接する化粧コンクリートブロック５間に介在する空隙に接着用モルタルをコーキング部材によって流し込んで隣接する化粧コンクリートブロックを接着一体化する。そして、これらを乾燥させ、乾燥後に汚れ防止テープを剥離することにより、容易に化粧ブロック塀を完成させることができる。
【００５０】
次に、上述の化粧コンクリートブロック５の被覆材層を被覆材塗装により形成した場合の化粧ブロック塀を構築する手順の例について説明する。
【００５１】
まず、運搬された化粧コンクリート６Ａを垂直方向に積層して仮化粧ブロック塀５０を形成する。次に、この仮化粧ブロック塀５０の化粧コンクリートブロック５の積層線５１、５２に沿って上記の隣接する化粧コンクリートブロック５間に介在する空隙に接着用モルタルをコーキング部材によって流し込んで隣接する化粧コンクリートブロックを接着一体化する。そして、これらを乾燥させ、乾燥後に被覆材層を剥離することにより、容易に化粧ブロック塀を完成させることができる。
【００５２】
以上のように、本考案の予め塗装処理が施されている化粧ブロックコンクリート５を用いることにより、ブロック塀構築現地においての塗装作業が不要であるために、化粧ブロック塀の構築時間を著しく短縮することができる。
【００５３】
しかも、この化粧コンクリートブロック６Ａは、運搬中には側方表面１Ｃが被覆材層４によって保護されているために、現地において化粧塗装層２の美観を保ちつつ化粧ブロック塀の構築を行うことができる。
【００５４】
以上のように、本考案の化粧コンクリートブロックは、上述の如く構成したので、素材コンクリ―トブロックの形状を活かして、運搬時における化粧塗装層の損傷を防ぐことができて、しかもブロック塀構築現地にて容易に短時間で美観を備える化粧ブロック塀を構築することができる化粧コンクリートブロックを提供することができる。
【００５５】
尚、素材コンクリートブロックは上述の本考案で説明するものに限られず、上述の効果が達成できる範囲内において、別の構成のものを適用することができる。図示しないが、両側の側方表面に溝部が形成されている素材コンクリートブロックにおいても本考案を適用することができる。また、化粧コンクリートブロックの化粧塗装層及び被覆材層は、化粧コンクリートブロックの両側方表面に形成してもよい。
【符号の説明】
【００５６】
１…素材コンクリートブロック、１Ｃ…側方表面、２…化粧塗装層、２Ａ…下地調整塗材層、２Ｂ…密着塗材層、２Ｃ…装飾塗材層、２Ｄ…被覆塗材層、３…被覆材、４…被覆材層、５…化粧コンクリートブロック、１１…溝部、１１Ｘ…溝部形状、１５…模様形状、１５Ｘ…模様形状、１８、１９…穿孔、１８Ｘ、１９Ｘ…穿孔形状部。
【図１】
0003172235.tif 000003
【図２Ａ】
0003172235.tif 000004
【図２Ｂ】
0003172235.tif 000005
【図２Ｃ】
0003172235.tif 000006
【図２Ｄ】
0003172235.tif 000007
【図２Ｅ】
0003172235.tif 000008
【図２Ｆ】
0003172235.tif 000009
【図２Ｇ】
0003172235.tif 000010
【図２Ｈ】
0003172235.tif 000011
【図２Ｉ】
0003172235.tif 000012
【図３】
0003172235.tif 000013
【図４】
0003172235.tif 000014
【図５】
0003172235.tif 000015